(57)【要約】【課題】パチンコ機、スロット機等における遊技者が灰皿に投入した煙草の吸い殻を所定の回収位置まで搬送する吸い殻搬送装置に付設され、該搬送装置で搬送された吸い殻を消火するための消火装置であって、構造的に簡単で、汚水の発生がないものを提供すること。【解決手段】  パチンコ機、スロット機等の遊技機（１）の前に設けられたカウンターの灰皿（５）から、該カウンターの下側に設けられた樋状の受け容器（３）内に投入される吸い殻を所定の位置まで搬送するための吸い殻搬送装置（２０）の搬送終端部に設けられる消火装置であって、前記樋状の受け容器の端部の下側に、水平軸周りに回転する円筒状回転体（５５）と、該回転体の外周面に圧接するように付勢された板体からなるブレード（６５）とを備え、これら回転体の外周面と板体とで吸殻を挟圧することにより消火するようにした吸殻消火装置。【選択図】  図４
2015080686.tif 000002
【特許請求の範囲】
【請求項１】
パチンコ等の遊技機のカウンターに設けられている灰皿から該カウンターの下側に設けられた樋状の受け容器内に落とし込まれた吸い殻を所定の位置まで搬送する吸い殻搬送装置の搬送方向終端部に設置される吸殻処理装置であって、吸殻が通過する通路に軸回りに回転する円筒状の回転体と、バネ等の付勢手段により弾力的に該回転体の外周部に圧接する板体とを備え、吸殻をこれら回転体と板体との間に導き、前記回転体と板体とで挟圧して吸殻の火を消火することを特徴とする吸殻消火装置。
【請求項２】
回転体の回転軸が該回転体の中心軸に対し偏心している請求項１に記載の消火装置。
【請求項３】
回転体の外周部に薄板状のブレードが取り付けられている請求項１又は２に記載の消火装置。
【請求項４】
ブレードに回転体の外周部に接触するブラシが取り付けられている請求項３に記載の消火装置。
【発明の詳細な説明】
【技術分野】
【０００１】
本発明は、パチンコ機等の遊戯機に付設されている灰皿に投入された吸殻を、消火するために使用するに適した消火装置に関するものである。
【背景技術】
【０００２】
パチンコ機やスロット機を設置した遊技店では、図１に示すように、シマと呼ばれるブロックに複数の遊技機１を並列に設置し、その前に共通の長いカウンター２を設けて、該カウンターの各遊技機に対向する位置にそれぞれ灰皿５を配置している。この灰皿は、椀状の容器の底に吸殻が落下する通孔を設けたもので、前記カウンターに設けた取付け穴に嵌め込まれている。
【０００３】
前記カウンターの下側には、該カウンターに沿う樋状の受け容器（シュート）３が取り付けられていて、前記灰皿から通孔を通って落とし込まれた吸殻が、この受け容器内に収容されるようになっている。樋状の受け容器内に収容された吸殻は、そのままでは悪臭や煙を発して店内環境を損なうので、適宜所定の処理装置まで移送回収して処理している。
【０００４】
受け容器内に落とし込まれた吸殻を処理装置の位置まで搬送する搬送装置として、ベルトコンベア式の搬送装置、スクリューコンベア式の搬送装置、スクレーパ式の搬送装置等が実用されている。また、これらの装置を改良したものとして、種々の装置が提案されている。
【０００５】
これら吸殻搬送装置の搬送方向における終端部には、運ばれてきた吸殻を消火するための消火手段として、下記特許文献に開示されているように、水槽が設けられているのが一般的である。これらの装置では、火のついた吸殻が水槽中に落とし込まれて消火されるようになっている。
【０００６】
【特許文献１】特開平０８−１０４３７号公報
【特許文献２】特開平０６−２５４２５５号公報
【発明の開示】
【発明が解決しようとする課題】
【０００７】
しかしながら、吸殻の火を消火する手段として吸殻を落とし込む水槽を設けたものは、吸殻が混ざり込んだ汚水が大量に発生し、悪臭が生じたり、下水廃水環境の悪化が起こるという問題があった。
【０００８】
そこで本発明は、比較的簡単な構造ながら、吸殻の火をうまく消火でき、しかも大量の汚水や悪臭が発生しにくい消火装置を提供することを課題としている。
【課題を解決するための手段】
【０００９】
本発明は、上記課題を解決するため、次のような構成を採用した。すなわち、本発明に係る吸殻消火装置は、パチンコ等の遊技機のカウンターに設けられている灰皿から該カウンターの下側に設けられた樋状の受け容器内に落とし込まれた吸い殻を所定の位置まで搬送する吸い殻搬送装置の搬送方向終端部に設置される吸殻処理装置であって、吸殻が通過する通路に軸回りに偏心して回転する円筒状の回転体と、バネ等の付勢手段により弾力的に該回転体の外周部に圧接する板体とを備え、吸殻をこれら回転体と板体との間に導き、前記回転体と板体とで挟圧して吸殻の火を消火することを特徴としている。
【発明の効果】
【００１０】
本発明に係る消火装置は、偏心回転する円筒状回転体と、当該円筒状の外周部に弾力的に接触する板体との間で吸殻を挟圧して火を消すものであるから、多量の水を使用する必要がなく、悪臭や汚水発生の問題を抑制することができる。この消火装置は、比較的簡単な構造とすることができるので、耐久性に優れ、メンテナンスが容易なものとすることができる。
【発明を実施するための最良の形態】
【００１１】
以下、本発明の実施形態について具体的に説明する。図１は、本発明に係る吸殻消火装置が設置されたパチンコ機の列（シマ）を例示するもので、複数のパチンコ機１，…が並列に設置され、その前に共通の長いカウンター（テーブル）２が設けられている。カウンター２の下側には、樋状の受け容器３（シュート）が取り付けられており、カウンター２のパチンコ機１，…に対応させて、それぞれの位置に灰皿５が取り付けられている。灰皿５は、図２に示すように、概略椀状であり、その底部には上下に通ずる穴６が穿孔されている。この穴６の大きさは、吸殻が支障なく落下する大きさとなっている。灰皿５は、カウンター２に設けた取り付け穴７に嵌め込むことによって取り付けられており、その上端部の鍔の部分が取り付け穴７の周縁部に引っ掛かって保持されている。
【００１２】
受け容器３は、断面概略Ｕ字状であり、その長手方向において複数に分割されている。受け容器３は、その両側の上縁部にフランジ状張出部が設けられ、該張出部によってカウンター２の下面にビスで固定されている。複数に分割された受け容器３の接続部には、半円状のベルト１５が巻き付けられ、該接続部をカバーしている。
【００１３】
この受け容器３には、搬送装置２０が付設されている。この搬送装置２０は、受け容器３内に該受け容器の軸方向に沿わせて配置されたスクリュー２１と該スクリューを所定方向に回転駆動するモータ２２を備えている。受け容器３内に落とし込まれた吸殻は、このスクリュー２１の回転によって所定方向に搬送され、その終端部に設けられた消火装置に送り込まれる。
【００１４】
前記搬送装置としては、スクリュー２１の代わりにコイルバネを設けたものでもよい。コイルバネの場合は、一方の端部を駆動装置であるモータの回転軸に取り付け、他方の端部を回転軸によって回転自在に支承しておけばよい。これらの他にも、スクレーパー式の装置等、他の適当な搬送装置を採用することができる。
【００１５】
搬送装置２０の終端部には、消火装置５０が設置されている。消火装置５０は、縦方向のケーシング５１を備えている。ケーシング５１は、断面角型の筒体であり、その上端部に前記吸殻搬送装置２０の終端部が接続されている。
【００１６】
前記受け容器３の端部の下側にはホッパ５３が設けられ、その下側に円筒状の回転体５５が設けられている。回転体（ローラ）５５は中空円筒体であり、その両端部にはそれぞれシャフトプレート５６がビスで取り付けられている。シャフトプレート５６は、図１２に示すように、３個の突起５７が等間隔で設けられた板体からなり、これら突起５７にはネジ穴５８がそれぞれ設けられている。またシャフトプレート５６の板面には、中心から偏心した位置に軸取り付け用の穴５９が設けられ、その位置にナットが固着されている。
【００１７】
このシャフトプレート５６は、前記突起５７を直角に折り曲げて回転体５５にネジ止めされることにより、回転体５５に固着される。シャフトプレート５６の穴５９に設けたナットには軸となるボルト６０が螺着され、この軸がケーシング５１に取り付けた軸受け部材６７によって回転自在に支承されている。
【００１８】
回転体５５の外周部にはヘリカル形状のブレード６５がビスで固着されている。図示例では、ブレード６５の中央部と両端部付近の３箇所でビス止めされている。ブレード６５は細長い合成樹脂板であり、図１３の展開図において、幅ｗは７ｍｍ、厚みは２ｍｍであるが、これに限るものではなく、適当な他の形状・寸法であってもよい。なお、ブレード６５の材質は、合成樹脂にかぎらず、金属であってもよい。
【００１９】
ケーシング５１には、ギヤ支持部材７０とモータケース７１が設けられている。ギヤ支持部材７０はケーシング５１内に設けられ、その左右両側の壁面に前記軸受け部材６７が取り付けられている。これら両軸受け部材によって前記軸６０が支承されている。
【００２０】
一方、前記モータケース７１内には回転体５５を回転駆動するモータ８０が設置されている。モータ８０の回転軸には、第１のギヤ８１が取り付けられており、中間ギヤ８２を介して、前記回転体５５の軸体に取り付けた従動ギヤ８３と噛合している。これら３個のギヤは、前記ギヤ支持部材７０に回転自在に支承されている。図５中の８４はモータ用のコンデンサである。
【００２１】
前記回転体５５の近傍には受け板８５が設けられている。受け板８５は、板面が図１４に示すような多段に折り曲げられた凹状の板であり、その上端部には、筒状の軸受け部８６が一体に形成されている。この受け板８５は、ケーシング５１の内部に設けた水平な横軸８７を前記軸受け部８６に挿通することによって上下に回動自在に支持されている。受け板８５の反対側の端部には、フランジ部８５ａが設けられ、このフランジ部８５ａにブラシ８８がビスで取り付けられている。ブラシ８８は、金属、又は耐熱性を有する合成樹脂の線を束ねたものであるが、ブラシの代わりに、他の形状例えば板状、円筒状等のスクレーパを設けておいてもよい。
【００２２】
受け板８５の背面部には、当該受け板８５を回転体５５の外周面に押圧付勢するコイルバネ９０が設けられている。コイルバネ９０は、受け板８５に接する側の径が大きく、ケーシング５１内面に固定された側の径が小さい概略円錐状のバネであり、常時受け板８５を回転体５５に接する方向に付勢する付勢手段となっている。この付勢力により、前記ブラシ８８が回転体５５の外周面に押し付けられ、消え残った火を確実に消すとともに、回転体５５の表面の清掃を行う。
【００２３】
前記ケーシング５１の下部には、吸殻容器９３が配置されている。吸殻容器９３はケーシング５１の内部に着脱可能となっている。吸殻容器９３の前面には把手９２が取り付けられており、この把手９２を掴んでスライドさせることにより、吸殻容器９３を取り外すことができるようになっている。
【００２４】
この消火装置５０は、前述のように吸殻搬送装置に結合して使用される。使用に際しては、モータ８０を機動し回転体５５を所定速度で所定方向に回転させる。
【００２５】
灰皿２から搬送装置２０の受け器３に落とし込まれた吸殻は、スクリュー２１の回転によって消火装置５０側へ搬送され、受け器３の端部からホッパ５３内へ順次落とし込まれる。この状態では、吸殻の先端部に火がついている。この吸殻は、ホッパ５３から回転体５５上に落下し、該回転体の回転とともに該回転体の外周部に沿って下方へ移動する。この吸殻は、前記ブレード６５の上縁に沿って中央側へ移動し、該ブレード６５と受け板８５との間に挟みこまれる。
【００２６】
回転体５５は偏心して回転しているので、吸殻が受け板８５に押し付けられ、この挟圧力によって冷却消火（回転体、受け板と熱源との温度差による）、窒息消火（挟圧による酸欠）、除去消火（挟圧による熱源の分離）が行われる結果、吸殻が消火されるのである。これによっても消え残った火は、前記ブラシ８８によって確実に消火される。
【００２７】
この消火装置５０は、乾式消火方式を採用していて、大量の水を使用しないので、汚水の発生がなく、環境保全上優れたものである。また、汚水処理設備を必要としないので、経済的である。
【００２８】
なお、噴霧器等を用いて、少量の水で回転体や受け板を冷却してもよい。この場合でも水の使用量は少ないので、汚水処理の問題は生じない。さらに、冷却手段として冷却素子等を使用してもよい。
【００２９】
また、タバコ吸殻以外の異物、例えば釘、パチンコ玉、ネジ等が混入した場合、回転体５５と受け板８５との密着部分が異物によって押されるため、外部に排出される。場合によっては、これら異物の除去のために搬送装置の出口等、適当な位置に磁石を配置して、この磁石によって吸着除去するようにしてもよい。
【００３０】
なお、円筒状回転体５５と受け板８５との挟圧によってもうまく消火できない場合が想定されるときは、受け板８５の下側に煙センサや熱センサを設けて、これらで消え残った火を検出し警報を発するようにしてもよい。
【００３１】
本発明に係る消火装置５０は、パチンコ機、スロット機等の遊技店において、吸殻を消火するために使用するに適したものであるが、他の物の消火用に使用できることは言うまでもない。
【図面の簡単な説明】
【００３２】
【図１】パチンコ店のシマの外観図である。
【図２】灰皿の斜視図である。
【図３】消火装置の正面断面図である。
【図４】消火装置の左側面断面図である。
【図５】消火装置の右側面断面図である。
【図６】消火装置の上面図である。
【図７】消火装置の底面図である。
【図８】消火装置の分解斜視図である。
【図９】回転体の左側面図（ａ）、正面図（ｂ）、右側面図（ｃ）である。
【図１０】回転体の組立て状態の正面図である。
【図１１】シャフトプレートの展開図である。
【図１２】ブレードの断面図（ａ）及び正面図（ｂ）である。
【図１３】回転体とブレードの展開図である。
【図１４】受け板の左側面図（ａ）、正面図（ｂ）、右側面図（ｃ）、ブラシの正面図である。
【図１５】ホッパの側面図（ａ）、平面図（ｂ）、正面図（ｃ）である。
【符号の説明】
【００３３】
１        遊技機（パチンコ機）
２        カウンター
３        受け容器
５        灰皿
２０        搬送装置
５０        消火装置
５１        ケーシング
５５        回転体
６５        ブレード
８０        モータ
８５        受け板
８８        ブラシ
【図１】
2015080686.tif 000003
【図２】
2015080686.tif 000004
【図３】
2015080686.tif 000005
【図４】
2015080686.tif 000006
【図５】
2015080686.tif 000007
【図６】
2015080686.tif 000008
【図７】
2015080686.tif 000009
【図８】
2015080686.tif 000010
【図９】
2015080686.tif 000011
【図１０】
2015080686.tif 000012
【図１１】
2015080686.tif 000013
【図１２】
2015080686.tif 000014
【図１３】
2015080686.tif 000015
【図１４】
2015080686.tif 000016
【図１５】
2015080686.tif 000017